(57)【要約】【課題】  針を使わずにシートを綴じる場合に、綴じ処理が行われた位置を識別するためのマークを付加できるようにする。【解決手段】  画像処理装置は、複数のシートを綴じる綴じ処理を実行する。画像処理装置は、針を使わずにシートを綴じる綴じ部により綴じ処理を実行する際に、綴じ処理が行われた位置を識別するためのマークを付加する。【選択図】  図１４
2016054359.tif 000002
【特許請求の範囲】
【請求項１】
シートに画像を印刷する印刷手段と、
前記印刷手段によって画像が印刷された複数のシートに対して、針を使わずに綴じる針無し綴じ処理を行う針無し綴じ手段と、
印刷対象の画像に、針無し綴じ処理が行われた位置を示すマーク画像を合成する合成手段と、
前記針無し綴じ手段が前記針無し綴じ処理を行う場合に、前記合成手段によって前記マーク画像が合成された画像をシートに印刷するように制御する制御手段と、
を有することを特徴とする画像処理装置。
【請求項２】
前記合成手段は、前記針無し綴じ処理を行う複数のシートのうち１枚目のシートの表面に対応する画像に対してマーク画像を合成することを特徴とする請求項１に記載の画像処理装置。
【請求項３】
前記合成手段は、前記針無し綴じ処理を行う複数のシートのうち最後のシートの裏面に対応する画像に対してマーク画像を合成することを特徴とする請求項１又は２に記載の画像処理装置。
【請求項４】
前記針無し綴じ手段によって針無し綴じ処理を行う綴じ位置を設定する綴じ設定手段を更に有し、
前記合成手段は、前記綴じ設定手段によって設定された綴じ位置に基づいて前記マーク画像を合成する位置を決定することを特徴とする請求項１乃至３のいずれか１項に記載の画像処理装置。
【請求項５】
前記合成手段は、前記針無し綴じ処理が行われる位置と異なる位置に前記マーク画像を合成することを特徴とする請求項１乃至４のいずれか１項に記載の画像処理装置。
【請求項６】
前記合成手段は、前記印刷手段による印刷が可能な領域内に前記マーク画像を合成することを特徴とする請求項１乃至５のいずれか１項に記載の画像処理装置。
【請求項７】
マークを印刷するか否かを設定する第１の設定手段を更に有し、
前記合成手段は、前記針無し綴じ手段が針無し綴じ処理を行う場合であっても、前記第１の設定手段によってマークを印刷しないことが設定されていれば、前記マーク画像の合成を行わないことを特徴とする請求項１乃至６のいずれか１項に記載の画像処理装置。
【請求項８】
前記針無し綴じ処理を行う複数のシートのうち最後のシートの裏面に対応する印刷対象の画像がない場合に、当該最後のシートの裏面にマークを印刷するか否かを設定する第２の設定手段を更に有することを特徴とする請求項１乃至７のいずれか１項に記載の画像処理装置。
【請求項９】
前記合成手段は、印刷対象の画像に、シートを捲るべき方向を示すマーク画像を合成することを特徴とする請求項１乃至８いずれか１項に記載の画像処理装置。
【請求項１０】
シートに画像を印刷する印刷手段と、
前記印刷手段によって画像が印刷された複数のシートに対して、針を使わずに綴じる針無し綴じ処理を行う針無し綴じ手段と、
前記印刷手段によって画像が印刷されたシートに、前記針無し綴じ処理が行われた位置を示すスタンプを押印する押印手段と、
前記針無し綴じ手段が前記針無し綴じ処理を行う場合に、前記押印手段によって前記スタンプを押印するように制御する制御手段と、
を有することを特徴とする画像処理装置。
【請求項１１】
シートに画像を印刷する印刷手段と、前記印刷手段によって画像が印刷された複数のシートに対して、針を使わずに綴じる針無し綴じ処理を行う針無し綴じ手段と、を有する画像処理装置の制御方法であって、
印刷対象の画像に、針無し綴じ処理が行われた位置を示すマーク画像を合成する合成ステップと、
前記針無し綴じ手段によって前記針無し綴じ処理が行われる場合に、前記合成ステップによって前記マーク画像が合成された画像をシートに印刷するように制御する制御ステップと、
を有することを特徴とする画像処理装置の制御方法。
【請求項１２】
シートに画像を印刷する印刷手段と、前記印刷手段によって画像が印刷された複数のシートに対して、針を使わずに綴じる針無し綴じ処理を行う針無し綴じ手段と、前記印刷手段によって画像が印刷されたシートに、前記針無し綴じ処理が行われた位置を示すスタンプを押印する押印手段と、を有する画像処理装置の制御方法であって、
前記針無し綴じ手段によって前記針無し綴じ処理が行われる場合に、前記押印手段によって前記スタンプを押印するように制御する制御ステップと、
を有することを特徴とする画像処理装置の制御方法。
【請求項１３】
請求項１１又は１２に記載の画像処理装置の制御方法をコンピュータに実行させるためのプログラム。
【請求項１４】
シートに画像を印刷する印刷手段と、前記印刷手段によって画像が印刷された複数のシートに対して、針を使わずに綴じる針無し綴じ処理を行う針無し綴じ手段と、を有する画像処理装置に、印刷対象の画像を送信する情報処理装置であって、
前記針無し綴じ処理を行うように設定する設定手段と、
前記印刷対象の画像に前記針無し綴じ処理が行われた位置を示すマーク画像を合成する合成手段と、
前記設定手段により前記針無し綴じ処理を行うように設定された場合に、前記合成手段によって前記マーク画像が合成された画像を前記画像処理装置に送信する送信手段と、
を有することを特徴とする情報処理装置。
【請求項１５】
シートに画像を印刷する印刷手段と、前記印刷手段によって画像が印刷された複数のシートに対して、針を使わずに綴じる針無し綴じ処理を行う針無し綴じ手段と、を有する画像処理装置に、印刷対象の画像を送信する情報処理装置の制御方法であって、
前記針無し綴じ処理を行うように設定する設定ステップと、
前記印刷対象の画像に前記針無し綴じ処理が行われた位置を示すマーク画像を合成する合成ステップと、
前記設定ステップにより前記針無し綴じ処理を行うように設定された場合に、前記合成ステップによって前記マーク画像が合成された画像を前記画像処理装置に送信する送信ステップと、
を有することを特徴とする情報処理装置の制御方法。
【請求項１６】
請求項１４に記載の情報処理装置の制御方法をコンピュータに実行させるためのプログラム。
【発明の詳細な説明】
【技術分野】
【０００１】
本発明は、画像が印刷された複数のシートに対する綴じ処理を行う画像処理装置に関するものである。
【背景技術】
【０００２】
画像が印刷された複数のシートに対する綴じ処理を実行する画像処理装置が存在する。代表的な綴じ処理としてステイプル綴じ処理がある。ステイプル綴じ処理では、金属の針を使って複数のシートを綴じる。
【０００３】
また、針を使わずに綴じる方法として、複数のシートをまとめてくりぬくように切り取り、その切り先を織り込むことで綴じる方法がある（特許文献１）。その他にも、糊でシートを貼りつける方法や、特殊な刃をシートに押しつけて複数のシートをかしめる方法がある。
【先行技術文献】
【特許文献】
【０００４】
【特許文献１】特開平０８−３００８４７号公報
【発明の概要】
【発明が解決しようとする課題】
【０００５】
針を使って綴じられた書類は、綴じ処理が行われた位置にシートとは異なる材質の金属針があるため、綴じ処理が行われた位置が一見して分かりやすい。一方、針を使わずに綴じられた書類は、シートに多少の変形はあるものの、針を使って綴じた場合に比べて綴じ処理が行われている位置が分かり辛い。このため、捲る（開く）べきでない方向に書類が捲られてしまうと綴じ位置に強い力がかかり、シートが破れたり、はがれたりしてしまうことがあった。
【０００６】
本発明は、上記の問題点に鑑みなされたものであり、針を使わない綴じ処理を行う場合に、綴じ処理が行われた位置が容易に識別できるようにする仕組みを提供することを目的とする。
【課題を解決するための手段】
【０００７】
上記の目的を達成するために本発明の画像処理装置は、シートに画像を印刷する印刷手段と、前記印刷手段によって画像が印刷された複数のシートに対して、針を使わずに綴じる針無し綴じ処理を行う針無し綴じ手段と、印刷対象の画像に、針無し綴じ処理が行われた位置を示すマーク画像を合成する合成手段と、前記針無し綴じ手段が前記針無し綴じ処理を行う場合に、前記合成手段によって前記マーク画像が合成された画像をシートに印刷するように制御する制御手段と、を有することを特徴とする。
【発明の効果】
【０００８】
本発明によれば、針を使わない綴じ処理を行う場合に、綴じ処理が行われた位置が容易に識別できるようにすることで、シートが破れたり、はがれたりしてしまうことを防止することができる。
【図面の簡単な説明】
【０００９】
【図１】画像処理装置のハードウェア構成を示すブロック図である。
【図２】画像処理装置の断面図である。
【図３】シートを綴じる位置を説明する図である。
【図４】針無し綴じ部２１４で行われる針無し綴じ処理を説明する図である。
【図５】綴じられた複数のシートの断面を示す図である。
【図６】綴じられた複数のシートを上から見た図である。
【図７】シートに付加するマークを説明する図である。
【図８】１枚目のシートの表面及び最後のシートの裏面にのみマークの付加する場合を説明する図である。
【図９】操作部１１６に表示される操作画面を示す図である。
【図１０】仕上げ処理を設定するための操作画面を示す図である。
【図１１】マークの付加を設定するための操作画面を示す図である。
【図１２】コピー処理を制御する制御方法を示すフローチャートである。
【図１３】マークの付加を設定するための設定方法を示すフローチャートである。
【図１４】コピーの実行を制御する制御方法を示すフローチャートである。
【図１５】シートに付加するマークの変形例を説明する図である。
【図１６】情報処理装置のハードウェア構成を示すブロック図である。
【図１７】印刷データを画像処理装置に送信する制御方法を示すフローチャートである。
【図１８】ディスプレイ１８１７に表示される操作画面を示す図である。
【図１９】ディスプレイ１８１７に表示される操作画面を示す図である。
【図２０】印刷データを画像処理装置に送信する制御方法を示すフローチャートである。
【発明を実施するための形態】
【００１０】
以下、図面を参照して本発明の実施の形態を詳しく説明する。なお、以下の実施の形態は特許請求の範囲に係る発明を限定するものでなく、また実施の形態で説明されている特徴の組み合わせの全てが発明の解決手段に必須のものとは限らない。
【００１１】
＜第１の実施形態＞
まず、本発明の第１の実施形態について説明する。図１は、本実施形態に係る画像処理装置のハードウェア構成を示すブロック図である。画像処理装置は、シート上の画像を読み取る読取機能、シートに画像を印刷する印刷機能を有する。また、画像処理装置は、画像が印刷された複数のシートを綴じたり、複数のシートを揃えたり、複数のシートの排出先を複数のトレイに分けたりする後処理機能を有する。なお、シートには、普通紙や厚紙などの用紙、ＯＨＰシートなどが含まれる。
【００１２】
ＣＰＵ１１１を含む制御部１１０は、画像処理装置全体の動作を制御する。ＣＰＵ１１１は、ＲＯＭ１１２またはストレージ１１４に記憶された制御プログラムを読み出して読取制御や、印刷制御などの各種制御を行う。ＲＯＭ１１２は、ＣＰＵ１１１で実行可能な制御プログラムを格納する。ＲＡＭ１１３は、ＣＰＵ１１１の主記憶メモリであり、ワークエリアやストレージ１１４に記憶された制御プログラムを展開するための一時記憶領域として用いられる。ストレージ１１４は、画像データ、各種プログラム、各種履歴情報、及び各種設定情報を記憶する。本実施形態ではストレージ１１４としてＨＤＤ等の補助記憶装置を想定しているが、ＨＤＤの代わりにＳＳＤに代表されるＦＬＡＳＨ  ＤＩＳＫを用いるようにしても良い。
【００１３】
なお、本実施形態の画像処理装置では、１つのＣＰＵ１１１が１つのメモリ（ＲＡＭ１１３）を用いて後述するフローチャートに示す各処理を実行するものとするが、他の様態であっても構わない。例えば複数のＣＰＵ、ＲＡＭ、ＲＯＭ、及びストレージを協働させて後述するフローチャートに示す各処理を実行することもできる。また、ＡＳＩＣやＦＰＧＡ等のハードウェア回路を用いて一部の処理を実行するようにしてもよい。
【００１４】
操作部Ｉ／Ｆ１１５は、操作部１１６と制御部１１０を接続する。操作部１１６は、ユーザに対して情報を表示したり、ユーザからの指示を入力したりする。そのために操作部１１６は、後述する操作画面を表示するタッチパネルディスプレイとスタートボタンや設定ボタンなどの各種のハードキーを有する。ユーザはタッチパネルディスプレイに表示されているキーを押下する。また、操作部１１６は、タッチパネルディスプレイの代わりに、表示ディスプレイと各種のハードキーを有していてもよい。その場合、ユーザはハードキーを使って指示を入力する。また、操作部１１６は、タッチパネルディスプレイのみで構成されてもよい。
【００１５】
読取部Ｉ／Ｆ１１７は、読取部１１８と制御部１１０を接続する。読取部１１８はシート上の画像を読み取って、その画像をバイナリーデータなどの画像データに変換する。読取部１１８によって生成された画像データは読取部Ｉ／Ｆ１１７を介して制御部１１０のストレージ１１４又はＲＡＭ１１３に格納される。その後、画像データは通信部Ｉ／Ｆ１２３を介して外部装置に送信されたり、シート上に印刷されたりする。
【００１６】
印刷部Ｉ／Ｆ１１９は、印刷部１２０と制御部１１０を接続する。印刷すべき画像データ（印刷対象の画像データ）は印刷部Ｉ／Ｆ１１９を介して制御部１１０から印刷部１２０に転送される。印刷部１２０は画像データに基づいた画像を用紙などのシート上に印刷する。
【００１７】
シート処理部Ｉ／Ｆ１２１は、シート処理部１２２と制御部１１０を接続する。シート処理部１２２はＣＰＵ１１１からの制御コマンドを受信し、その制御コマンドに従ってシートに後処理を施す。例えば、複数のシートを揃えたり、複数のシートの排出先を複数のトレイに分けたり、複数のシートを綴じたりする。本実施形態では、シート処理部１２２は、複数のシートを針で綴じる針有り綴じ処理と針を使わずに複数のシートを綴じる針無し綴じ処理を実行可能である。
【００１８】
また、制御部１１０は、通信部Ｉ／Ｆ１２３を介してＬＡＮ１００に接続される。通信部Ｉ／Ｆ１２３は、ＬＡＮ１００上の外部装置（メールサーバやファイルサーバ、ＰＣなど）に画像データや情報を送信したり、ＬＡＮ１００上の外部装置から画像データや情報を受信したりする。更に、通信部Ｉ／Ｆ１２３は無線ＬＡＮ（不図示）などのネットワークを介して外部装置と通信したり、ＵＳＢなどのローカルインタフェースを介して外部装置と通信したりする。通信部Ｉ／Ｆ１２３によって受信された画像データはストレージ１１４に格納される。
【００１９】
図２は画像処理装置の断面図である。図２では、制御部１１０、操作部１１６、読取部１１８は省略している。図２では、シート処理部１２２は画像処理装置の筺体内部に配置されている。ただし、シート処理部１２２の配置は図２の例に限らない。シート処理部１２２が画像処理装置に隣接するように接続されていてもよい。
【００２０】
給紙部２０１及び給紙部２０２はそれぞれ、シートを格納する。図２では、画像処理装置は２つの給紙部を有しているが、給紙部の数は２つに限らない。搬送ローラ２０３は給紙部２０１に格納されているシートを印刷部１２０に搬送する。また、搬送ローラ２０４は給紙部２０２に格納されているシートを印刷部１２０に搬送する。印刷部１２０は、搬送されてきたシートの第１面に画像を印刷する。印刷部１２０は、インクをシートに吹き付けて画像を印刷するインクジェット方式を採用していても、トナーをシートに定着させて画像を印刷する電子写真方式を採用していてもよい。
【００２１】
片面印刷の場合には、印刷されたシートは搬送ローラ２０５及び２０６に導かれ、搬送ローラ２０５及び２０６はシートをシート処理部１２２に搬送する。搬送ローラ２０６によって導かれたシートは中間トレイ２２０へ排出される。
【００２２】
中間トレイ２２０は、シートの排出方向に対して下流側（図の左上方側）を鉛直方向の上方に、上流側（図の右下方側）を鉛直方向の下方に位置させることで傾斜が設けられており、複数のシートを保持することができる。また、中間トレイ２２０は、下流側に配された１組の下部及び上部の各束排出ローラ２１８ａ，２１８ｂからなる束排出ローラ対２１８と、中間部上方に配される引込みパドル２１５とを有している。上部束排出ローラ２１８ｂは、揺動ガイド２１７に支持されている。
【００２３】
束排出ローラ２１８ａ，２１８ｂは、揺動ガイド２１７の揺動制御により、下部束排出ローラ２１８ａに対して上部束排出ローラ２１８ｂを離間させた状態で、搬送ローラ２０６からのシートＰを中間トレイ２２０上に受け入れる。
【００２４】
また、中間トレイ２２０上の、シートの搬送方向に直交する幅方向の手前側と奥側には、整合部材２２１が設けられる。整合部材２２１はそれぞれ、前整合モータ（不図示）および後整合モータ（不図示）によって幅方向に移動する。ここで、「手前」とは、図２に記載されている向きで画像処理装置を見て紙面手前になる部分を言い、「奥」とは、紙面奥の部分を言う。
【００２５】
搬送ローラ２０６に導かれ、中間トレイ２２０に排出されたシートＰは、中間トレイ２２０の傾斜及び引き込みパドル２１５の作用によって、中間トレイ２２０の積載面上、又は中間トレイ２２０に積載されたシート上を滑降する。中間トレイ２２０上に排出されたシートは、滑降中に整合部材２２１によって整合処理が施され、シート後端（排出方向上流端）がストッパ２１６に突き当たることで停止する。
【００２６】
中間トレイ２２０上で整合されたシート束は、必要に応じて針無し綴じ部２１４による綴じ処理が行われる。針無し綴じ部２１４は、中間トレイ２２０の外周に沿ってシートの搬送方向に対して垂直方向に移動可能に構成され、ユーザが指定した綴じ位置に移動できる。また、針無し綴じ部２１４は、中間トレイ２２０上に保持されたシート束の搬送方向に対する後端部を綴じることができる。
【００２７】
シート処理部１２２によって綴じ処理などの後処理が行われたシート束は、排出部２０７に排出される。揺動ガイド２１７は、束排出ローラ２１８ｂを中間トレイ２２０上の最上部のシートに当接させるように揺動する。当該当接した状態で、束排出ローラ対２１８を回転駆動させることにより、後処理を終えたシート束を排出部２０７上に排出する。
【００２８】
次に、両面印刷の場合には、印刷部１２０で第１面が印刷されたシートは搬送ローラ２０８に導かれ、搬送ローラ２０８はシートを搬送ローラ２０９に搬送する。搬送ローラ２０９はシートを反転パス２１０に搬送する。シートの後端が搬送ローラ２０９に到達すると、搬送ローラ２０９は逆回転し始め、シートを搬送ローラ２１１に搬送する。搬送ローラ２１１は両面印刷用搬送パス２１２を介してシートを搬送ローラ２１３に搬送する。搬送ローラ２１３はシートを印刷部１２０に搬送する。印刷部１２０はシートの第２面に画像を印刷する。両面印刷されたシートは搬送ローラ２０５及び２０６に導かれ、搬送ローラ２０５及び２０６はシートをシート処理部１２２に搬送し、片面印刷の場合と同様に綴じ処理などの後処理が実行される。
【００２９】
図３は、針無し綴じ部２１４の綴じ位置を説明するための図である。３０３は複数のシートを示す。シート処理部１２２はＣＰＵ１１１から受信した綴じ処理に関する情報に従って針無し綴じ部２１４を綴じ位置に移動させて複数のシートを綴じる構成となっている。例えば、図３では、実線で示す３１０は針無し綴じ部２１４の現在位置を示す。ＣＰＵ１１１は、針無し綴じ部２１４を例えば、３１１や３１２の位置まで移動し、３１１や３１２の位置で針を使わずに複数のシート３０３を綴じることができる。
【００３０】
なお、図２及び図３では綴じ部として針無し綴じ部２１４（第１の綴じ部）のみを例示したが、更に針有り綴じ部（第２の綴じ部、不図示）を有していてもよい。また、針有り綴じ部と針無し綴じ部は１つのユニットとしてシート処理部１２２内に備えられてもよい。また図３では、針無し綴じ部２１４の移動可能領域を図示しているが、これよりさらに広い移動領域であってもよい。また、針無し綴じ部２１４と針有り綴じ部（不図示）をそれぞれ別のユニットとして備える場合には、各ユニットの物理的な干渉を避けるための退避領域などが設けられていてもよい。
【００３１】
図４は、針無し綴じ部２１４で行われる針無し綴じ処理を説明する図である。針無し綴じ処理では、複数のシートの上下から圧力をかけて、複数のシートを密着させて綴じる。図４（ａ）は、針無し綴じ部が複数のシートを綴じるための綴じ位置に移動した状態を示す。上金型４０１は複数のシートを上から押さえつける。上金型４０１には複数の凸形状の刃４０２が並んでいて、それぞれの刃４０２がシートに圧力をかける。下金型４０５は複数のシートを下から押さえつける。下金型４０５には、複数の刃４０２に対応した複数の凹部４０４が並んでいて、それぞれの凹部４０４が刃４０２を受け止める。
【００３２】
図４（ｂ）は、上金型４０１と下金型４０５が複数のシートを上下方向から加圧した状態を示す。上金型４０１と下金型４０５が複数のシートに加圧することで、複数のシートを綴じることが可能になっている。複数の刃４０２と複数の凹部４０４がシートの複数箇所を加圧することでシートがはがれにくくなっている。なお、本実施形態では、針無し綴じ部２１４は複数のシートを加圧し、密着させて綴じる綴じ部としたが、これに限定するものではない。例えば、糊や接着剤で複数のシートを貼りつけるような綴じ処理であってもよい。
【００３３】
図５は、綴じ処理が実行された後のシートの綴じ位置部分の断面を示す図である。綴じ位置部分は、シートの複数箇所が上金型４０１と下金型４０５によって加圧されて潰されることで綴じられている。図６は、綴じられた複数のシート３０３を上から見た図である。６０１は綴じ位置を示す。矢印６０２及び矢印６０３は、シートを捲る（開く）際における外力の方向の一例を示したものであり、シート束をどの向きに捲るかを示している。矢印６０２の方向は、綴じ強度が強い方向を示している。閲覧者がシートを捲る際に綴じ位置に矢印６０２の方向の力が加わっても、シートは剥がれにくい。一方、矢印６０３の方向は、綴じ強度が弱い方向を示している。閲覧者がシートを捲る際に綴じ位置に矢印６０３の方向の力が加わると、シートは剥がれやすい。
【００３４】
図６では、綴じ位置６０１におけるシートの変形をグレーで示しているが、実際に視認できるのは、上金型４０１と下金型４０５の加圧による変形の痕である。このように針を使わず綴じた複数のシートが閲覧者に読まれる際、綴じ位置６０１についた変形の痕は、周囲の光の角度により見え方が異なる。従って、周囲の光の角度によってはシートのどこが綴じられているか視認しづらい場合がある。閲覧者が、シートが綴じられていることを見落とした場合、綴じられていない複数のシートと認識してシートを取り扱う可能性がある。例えば、綴じられていない複数のシートを閲覧者が読む場合、複数のシートの１枚目を読み終わると、２枚目のシートを読むために、１枚目のシートを複数のシートの最後尾に移動するような動作を図中左下から右上に向かって行うことがある。この場合、綴じ力の弱い矢印６０３の方向に強い力が加わるため、シートが剥がれてしまうことがある。
【００３５】
このように、針無し綴じ部２１４によって綴じられたシートは綴じられていることが分かりにくく、捲るべきでない方向にシートが捲られるとはがれてしまう可能性がある。この問題に対処するために、本実施形態では綴じ処理が行われた位置が容易に識別できるようにするためのマーク７０１を印刷する。
【００３６】
図７はシートに付加するマークを例示する図である。閲覧者はシート３０３を閲覧する際にマーク７０１を視認することができ、綴じ処理の位置及び綴じ方向を識別することができる。本実施形態では、マーク７０１の図柄を金属の針を連想させるものとしているがこれに限定するものではなく、綴じ処理が行われていることが分かるマークであればよい。また図７では、マーク７０１を黒色で印刷する場合を例示しているが、他の色でマーク７０１を印刷してもよいし、印刷するページの画像に基づき背景色と異なる色でマーク７０１を印刷するようにしてもよい。更には、マーク７０１の付加は印刷に限らずスタンプの押印などで実現されてもよい。この場合、例えば、針無し綴じ部２１４がマーク７０１を押印するためのスタンプを有し、綴じ処理を行う前または後に押印するようにすればよい。
【００３７】
次にマークを付加する付加位置について説明する。図７（ａ）では、領域７０２は印刷部１２０が印刷可能な領域を例示している。印刷部１２０で印刷を行う際に、シートの搬送等の要因でシートの周囲に印刷できない領域が存在する。領域７０２は、シートに実際に印刷できる範囲を示すものである。領域７０３は複数のシート３０３の綴じ位置６０１及びマーク７０１を含む領域である。綴じ位置６０１は綴じ部２１４によってシート左上端を原点とすると座標（Ｘｂ、Ｙｂ）の位置に押下される。一方、マーク７０１は綴じ位置６０１から少しずらした位置に印刷される。これは針無し綴じ処理によって紙どうしを圧着させる際に、隙間にトナー又はインクが入り込んで、綴じ強度が落ちることを防ぐためである。また、針無し綴じ部２１４が糊で綴じ合わせる方式などの場合、糊部にトナー又はインクが混ざりこんで粘着力が弱くなることを防ぐためである。また、印刷部１２０でマーク７０１を付加する場合は、マーク７０１全体がシート左上端を原点とする座標（Ｘａ、Ｙａ）よりもシートの内側に収まるように印刷する。
【００３８】
本実施形態では、綴じ位置６０１より少しシートの内側の座標にマーク７０１を印刷する場合を例示しているがこれに限定するものではない。綴じ処理を印刷可能な領域７０２内に行う場合であれば、マーク７０１を綴じ位置６０１と重なる位置に印刷してもよい。綴じ位置６０１の近辺且つ印刷部１２０が印刷可能な領域７０２内にマーク７０１を印刷するものであればよい。なお、スタンプによってマーク７０１を実現する場合は領域７０２に限定されず綴じ位置６０１の近辺にマーク７０１を押下すればよい。
【００３９】
また、図７（ｂ）は本実施形態における他の綴じ位置及びマークの印刷位置を例示するものである。例えば、綴じ処理はシートの複数箇所に行われてもよい。また、図７（ａ）では斜め方向に綴じる綴じ処理を例示したが、例えば、シートの長辺と平行に綴じるようにしてもよいし、シートの短辺と平行に綴じるようにしてもよい。
【００４０】
図８は、１枚目のシートの表面及び最後のシートの裏面にのみマークを付加する場合を例示する図である。図８（ａ）は１枚目のシートの表面における左上端に綴じ処理を行う場合を例としている。シート８０１はシート束の１枚目のシートであり、８０１ａは表面、８０１ｂは裏面を示したものである。またシート８０２はシート束の最後のシートであり、８０２ａは表面、８０２ｂは裏面を示している。
【００４１】
最後のシートの裏面に付加するマークはシートの中心軸８０３を対象軸として、線対象の位置に印刷する。本実施形態では、マーク７０１の図柄を金属の針を連想させるものとしているため、マークに対応する画像を綴じ処理の方向に応じて適宜回転して印刷する。
【００４２】
図８（ｂ）は綴じ位置とマークの印刷位置の関係を例示した図である。例えばシート束の表側から見て、シートの左上端に綴じ処理を行う場合、１枚目のシートの表面の８１１ａの位置にマークを印刷する。また、最後のシートの裏面の８１１ｂの位置にマークを印刷する。例えば、シート束の表側から見てシートの左端の２ヵ所に綴じ処理を行う場合、１枚目のシートの表面の８１２ａの位置にマークを印刷する。また、最後のシートの裏面の８１２ｂの位置にマークを印刷する。
【００４３】
次にマーク印刷の設定について説明する。ユーザは操作部１１６の設定／登録ボタン（不図示）を押下して、画像処理装置の備える機能に関する設定を変更することができる。ユーザは、印刷動作を制御する設定の一項目として、針無し綴じ処理時のマーク印刷に関する設定を行うことができる。
【００４４】
ユーザが設定／登録画面（不図示）で針無し綴じ処理時のマーク印刷設定を選択した場合は、ＣＰＵ１１１は図１３のフローチャートに基づく制御処理を実行する。図１３のフローチャートに示す各動作（ステップ）は、ＣＰＵ１１１がＲＯＭ１１２またはストレージ１１４に記憶された制御プログラムをＲＡＭ１１３に読み出し、実行することにより実現される。
【００４５】
まず、ステップＳ１３０１では、ＣＰＵ１１１は、シートに付加するマークを設定するための操作画面を表示するよう操作部１１６を制御する。図１１は、ステップＳ１３０１で表示される操作画面の一例を示す図である。
【００４６】
図１１の操作画面を介して、ユーザは針無し綴じ処理を行う場合にマークを付加するか否かを設定する。本実施形態において、図１１の画面で設定した内容は、装置で針無し綴じ処理を行う場合の共通設定とてストレージ１１４又はＲＡＭ１１３に保持される。なお、これらのマークを付加するか否かの設定は、例えば図１０に例示した画面を介してジョブごとに設定するようにしてもよい。
【００４７】
キー１１０２及びキー１１０３は針を使わない綴じ処理を行う場合にマークを印刷するか否かを設定するためのキーである。ユーザはマークを印刷するように設定する場合はキー１１０２を押下し、印刷しないように設定する場合はキー１１０３を押下する。なお、キー１１０２とキー１１０３はトグル動作となっており、一方のキーのみが有効に設定される。なお、キー１１０４とキー１１０５についても同様のトグル動作となっている。図１１では、キー１１０２及びキー１１０４が有効に設定された場合を例示している。
【００４８】
またキー１１０４及びキー１１０５は最後のシートの裏面に印刷すべき画像がない場合にマークを印刷するか否かを設定するためのキーである。これは、両面印刷のページ数が奇数の場合や、片面のみに印刷を行う場合など、最後のシートの裏面に通常の印刷処理を行わない場合に、マークのみを印刷するか否かを設定するものである。
【００４９】
なお、本実施形態では、最後のシートの裏面に印刷すべき画像がある場合は、最後のシートの裏面にマークを付加するようにしているがこれに限定するものではない。例えば、最後のシートの裏面に印刷すべき画像が有る場合でも１枚目のシートの表面にのみマークを付加するようにしてもよい。
【００５０】
図１３の説明に戻り、ステップＳ１３０２では、ＣＰＵ１１１は、キー１１０１又はキー１１０２のいずれかが押下されたかどうかを判断する。ＣＰＵ１１１がキー１１０２又はキー１１０３のいずれかが押下されたと判断した場合は、ステップＳ１３０３に進む。一方、キー１１０２又はキー１１０３のいずれも押下されていないと判断した場合は、ステップＳ１３０４に進む。
【００５１】
ステップＳ１３０３では、ＣＰＵ１１１は、マークの印刷設定を変更する。ＣＰＵ１１１は、キー１１０２が押下された場合はマークの印刷を有効に設定し、キー１１０３が押下された場合はマークの印刷を無効に設定する。
【００５２】
ステップＳ１３０４では、ＣＰＵ１１１は、キー１１０４又はキー１１０５のいずれかが押下されたかどうかを判断する。ＣＰＵ１１１がキー１１０４又はキー１１０５のいずれかが押下されたと判断した場合は、ステップＳ１３０５に進む。一方、キー１１０４又はキー１１０５のいずれも押下されていないと判断した場合は、ステップＳ１３０６に進む。
【００５３】
ステップＳ１３０５では、最後のシートの裏面に印刷すべき画像がない場合において、最後のシートの裏面にマークを印刷するか否かを設定する。ＣＰＵ１１１はキー１１０４が押下された場合は、最後のシートの裏面に印刷すべき画像がない場合であっても、その面に対するマークの印刷を有効に設定する。一方、ＣＰＵ１１１はキー１１０５が押下された場合は、最後のシートの裏面に印刷すべき画像がない場合に、その面に対するマークの印刷を無効に設定する。
【００５４】
ステップＳ１３０６では、ＣＰＵ１１１は、キー１１０６が押下されたかどうかを判断する。ＣＰＵ１１１が「ＯＫ」キー１１０６が押下されたと判断した場合は、ステップＳ１３０７に進み、「ＯＫ」キー１１０６が押下されていないと判断した場合は、ステップＳ１３０８に進む。ステップＳ１３０７では、ＣＰＵ１１１は、ユーザにより選択された設定を設定値としてストレージ１１４又はＲＡＭ１１３に格納して、マークの設定制御を終了する。
【００５５】
ステップＳ１３０８では、ＣＰＵ１１１はキー１１０７が押下されたかどうかを判断する。ＣＰＵ１１１が「設定取消」キー１１０７が押下されたと判断した場合は、ステップＳ１３０９に進み、「設定取消」キー１１０７が押下されていないと判断した場合は、ステップＳ１３０２に戻る。ステップＳ１３０９では、ＣＰＵ１１１は、図１１の画面を介してなされた設定を破棄して、マークの設定制御を終了する。
【００５６】
次に、綴じ処理の制御について、本実施形態の画像処理装置が備えるコピー機能を用いて説明する。図９及び図１０は操作部１１６に表示する操作画面の一例を示す図である。各操作画面については後述するコピーの制御方法で説明する。図１２及び図１４はコピーの実行を制御する制御方法を示すフローチャートである。図１２及び図１４のフローチャートに示す各動作（ステップ）は、ＣＰＵ１１１がＲＯＭ１１２またはストレージ１１４に記憶された制御プログラムをＲＡＭ１１３に読み出し、実行することにより実現される。
【００５７】
ユーザが操作部１１６に表示されるメイン画面（不図示）でコピーを選択すると、ＣＰＵ１１１がこの制御プログラムを実行する。まず、ステップＳ１２０１では、ＣＰＵ１１１は、コピーの設定をするための操作画面を表示するよう操作部１１６を制御する。図９は、ステップＳ１２０１で表示されるコピー設定画面の一例を示す図である。図９の画面を介して、ユーザはカラーコピーまたはモノクロコピーの選択、コピーの倍率の設定、両面コピーの種類の選択などをすることができる。ユーザはコピー処理に対して仕上げを設定したい場合には、キー９０１を押下する。
【００５８】
ステップＳ１２０２では、ＣＰＵ１１１は、図９の画面でキー９０１が押下されたかどうかを判断する。キー９０１が押下された場合、ステップＳ１２０３に進み、キー９０１が押下されていない場合は、ステップＳ１２０９に進む。ステップＳ１２０３では、ＣＰＵ１１１は、図１０（ａ）に示す操作画面を表示するよう操作部１１６を制御する。図１０（ａ）は操作部１１６に表示する操作画面の一例を示す図である。また、図１０（ｂ）は図１０（ａ）の画面から遷移する操作画面の一例を示す図である。図１０（ａ）及び図１０（ｂ）の操作画面を介して、ユーザはコピー時の仕上げを設定する。
【００５９】
ステップＳ１２０４では、ＣＰＵ１１１は、図１０（ａ）及び図１０（ｂ）の画面を介して仕上げの設定を受け付ける。キー１００５は、部ごとに揃えて仕上げたい場合に使用するキーである。例えば、５ページ１０部の印刷の場合は、１部に対応する５枚のシートを１束として排出する。キー１００６は、ページ毎に揃えて仕上げたい場合に使用するキーである。たとえば、５ページ１０部の印刷の場合は、同一ページに対応する１０枚のシートを１束として排出する。
【００６０】
また、キー１００１は、綴じ処理を行いたい場合に使用するキーである。例えば、５ページ１０部の印刷の場合は、１部に対応する５枚のシートを１束として綴じ処理を行って、排紙する。
【００６１】
キー１００２及びキー１００３は、図１０（ａ）及び図１０（ｂ）を介して設定された仕上げ設定を破棄する場合に使用するキーである。キー１００４は、キー１００１、キー１００５及びキー１００６のいずれかが押下された状態で、各仕上げ処理の設定を行う場合に使用するキーである。キー１００１が押下された状態で、キー１００４が押下されると、図１０（ｂ）の画面に遷移する。
【００６２】
図１０（ｂ）は、綴じ処理の種類及び位置を選択するための操作画面の一例を示す図である。情報１０１０は、設定された綴じ位置をユーザに通知するための情報である。キー１００７が針有り綴じ処理を選択するためのキーであり、キー１００８が針無し綴じ処理を選択するためのキーである。キー１００９は針無し綴じ処理が選択された際に表示される詳細を設定するためのキーである。キー１００９は、キー１００８が選択された場合のみ押下できる状態となる。キー１００８が選択されていない場合は、キー１００９はグレーアウトで表示しユーザによる押下を受け付けない。また、キー１０１１乃至キー１０１４は綴じ位置を選択するためのキーである。
【００６３】
また、キー１０１５は、図１０（ａ）及び図１０（ｂ）を介して設定された仕上げ設定をジョブの設定値として設定する場合に使用するキーである。キー１０１６は、図１０（ａ）の画面に戻る場合に使用するキーである。キー１０１７は、図１０（ａ）及び図１０（ｂ）を介して設定された仕上げ設定を破棄する場合に使用するキーである。
【００６４】
図１２の説明に戻り、ステップＳ１２０４では、ＣＰＵ１１１は、図１０（ａ）及び図１０（ｂ）の画面を介したユーザによるキー押下に応じて、仕上げ処理の設定を受け付ける。例えば、キー１００７が押下された場合は、針有り綴じ処理を使用することを受け付ける。一方、キー１００８が押下された場合は、針無し綴じ処理を使用することを受け付ける。
【００６５】
キー１０１１乃至キー１０１４のいずれかが押下された場合は、押下されたキーに対応する綴じ位置の設定を受け付ける。キー１０１１が押下された場合は、綴じ処理を行う位置を左上端に設定する。また、キー１０１２が押下された場合は左下端を綴じ位置として設定する。キー１０１３が押下された場合は右上端を綴じ位置として設定する、キー１０１４が押下された場合は右下端を綴じ位置として設定する。
【００６６】
なお、図１０（ｂ）では、シートの各コーナーを綴じ位置として設定する場合を例示したが、これに限定するものではない。例えば、シートの長辺や短辺の２箇所を綴じ位置として設定できるようにしてもよい。また綴じる方向についても斜め方向以外を設定できるようにしてもよい。また、本実施形態では、キー１０１１乃至キー１０１４の押下により綴じ位置を設定する例を示したが、例えば操作部１１６を介して情報１０１０が押下されたときに、押下位置によって綴じ位置を設定するようにしてもよい。
【００６７】
図１２の説明に戻り、ステップＳ１２０５では、ＣＰＵ１１１は、キー１０１５が押下されたかどうかを判断する。ＣＰＵ１１１が「ＯＫ」キー１０１５が押下されたと判断した場合は、ステップＳ１２０６に進み、「ＯＫ」キー１１１５が押下されていないと判断した場合はステップＳ１２０７に進む。ステップＳ１２０６では、ＣＰＵ１１１はユーザにより設定または選択された内容をジョブの設定値としてＲＡＭ１１３に保持しつつ、仕上げ処理の設定を終了し、ステップＳ１２０１に戻る。
【００６８】
一方、ステップＳ１２０７では、ＣＰＵ１１１は、キー１０１７が押下されたかどうかを判断する。ＣＰＵ１１１が「設定取消」キー１０１７が押下されたと判断した場合はステップＳ１２０８に進み、「設定取消」キー１０１７が押下されていないと判断した場合は、ステップＳ１２０４に戻り、ユーザから仕上げの設定を受け付ける。
【００６９】
ステップＳ１２０８では、ＣＰＵ１１１は、ユーザにより設定または選択された内容を破棄して、仕上げ処理の設定を終了し、ステップＳ１２０１に戻る。
【００７０】
次にステップＳ１２０２で、キー９０１が押下されていないと判断した場合（ステップＳ１２０２でＮｏ）について説明する。図９の画面でキー９０１が押下されていない場合、ステップＳ１２０９に進む。ステップＳ１２０９では、ＣＰＵ１１１はスタートボタン（不図示）が押下されたかどうかを判断する。スタートボタンは操作部１１６に設けられている。スタートボタンが押下された場合は、ステップＳ１２１０に進み、ＣＰＵ１１１はＲＡＭ１１３に保持されているコピージョブの設定値に従ってコピーを実行する。コピーの実行は図１４のフローチャートで説明する。一方、スタートボタンが押下されていない場合、ＣＰＵ１１１は、ステップＳ１２０１に戻る。
【００７１】
ＣＰＵ１１１は、図９の画面でスタートボタン（不図示）が押下されたとステップＳ１２０４で判断した場合、図１４のフローチャートに基づく制御処理を実行する。
【００７２】
ステップＳ１４０１では、ＣＰＵ１１１は、ジョブに綴じ処理の設定がなされているかを判断する。綴じ処理の設定がなされている場合はステップ１４０２に進み、綴じ処理の設定がなされていない場合はステップＳ１４１２に進む。ステップＳ１４０２では、ＣＰＵ１１１はジョブに針無し綴じ処理が設定されているかを判断する。針無し綴じ処理が設定されている場合はステップＳ１４０３に進み、針無し綴じ処理が設定されていない場合（針有り綴じ処理が設定されている場合）は、ステップＳ１４１２に進む。なお、画像処理装置が綴じ処理を行う綴じ部として針無し綴じ部２１４のみを有する場合は、ステップＳ１４０２の処理を実行せずにステップＳ１４０３に進む。
【００７３】
ステップＳ１４０３では、ＣＰＵ１１１はストレージ１１４又はＲＡＭ１１３に格納された、針無し綴じ処理時のマーク印刷に関する設定値を取得し、針無し綴じ処理を行う場合にマークを印刷する設定がなされているか判断する。マークを印刷する設定が有効に設定されている場合は、ステップＳ１４０４に進み、マークを印刷する設定が無効に設定されている場合は、ステップＳ１４１２に進む。なお、針無し綴じ処理時のマーク印刷に関する設定値は、ユーザが前述した図１１の画面を介してキー１１０２又はキー１１０３のいずれかを選択することで設定することができる。
【００７４】
ステップＳ１４１２では、ＣＰＵ１１１は、読取部１１８にシートを読み取るための制御コマンドを送信する。読取部１１８は制御コマンドに従ってシート上の画像を読み取って画像データを生成し、ストレージ１１４又はＲＡＭ１１３上の画像データを格納するための領域（記憶部）に画像データを格納する。
【００７５】
ステップＳ１４１３では、ＣＰＵ１１１は、次ページがあるか否かを判断する。次ページがあると判断した場合は、ステップＳ１３１３に戻り次ページの読み取りを行う。一方、次ページがないと判断した場合は、ステップＳ１４１４に進む。ステップＳ１４１４では、ＣＰＵ１１１は記憶部に格納された画像データを印刷部１２０に転送する。印刷部１２０は、画像データに基づいて印刷を実行する。読み取った画像データの印刷が完了すると、ステップＳ１４１５に進む。
【００７６】
ステップＳ１４１５では、ＣＰＵ１１１は、シート処理部１２２に制御コマンドを送信する。シート処理部１２２は、制御コマンドに基づいてソート処理、針無し綴じ処理、針有り綴じ処理などの仕上げ処理を実行した後に、シート束を排出部２０７に排出しコピー処理を終了する。
【００７７】
一方、ステップＳ１４０３でマークを印刷すると判定された場合は、ステップＳ１４０４に進む。ステップＳ１４０４では、ＣＰＵ１１１はシート上の画像を読み取って画像データを生成し、記憶部に画像データを格納する。ステップＳ１４０５では、ＣＰＵ１１１は、ステップＳ１４０４で生成した画像データが１枚目のシートの表面ページに印刷すべき画像データであるか判断する。１枚目のシートの表面に印刷すべき画像データである場合は、ステップＳ１４０６に進み、１枚目のシートの表面に印刷する画像データでない場合は、ステップＳ１４０７に進む。
【００７８】
ステップＳ１４０６では、ＣＰＵ１１１は、ジョブに設定されている綴じ位置の設定情報に従って、マーク画像を付加する位置及びマークの向きを決定し、画像データにマーク画像を合成する。例えば、綴じ処理の設定として図７（ａ）に例示するように左上端に斜めの綴じ処理を行うことが設定されている場合、印刷部１２０は座標（Ｘｃ、Ｙｃ）にマーク画像を合成する。
【００７９】
一方、ステップＳ１４０７では、ＣＰＵ１１１は、次ページがあるか否か判断し、あると判断した場合はステップＳ１４０４に戻り、次ページの画像データを生成する。一方、次ページがないと判断した場合は、ステップＳ１４０８に進む。ステップＳ１４０８では、ＣＰＵ１１１は、最終ページに対応する画像データがシートの裏面に印刷されるかどうかを判断する。具体的には、ＣＰＵ１１１は、ジョブに両面印刷が設定されている場合であって、ページ数が偶数ページである場合に最終ページに対応する画像データがシートの裏面に印刷されると判断し、ステップＳ１４１１に進む。一方、ＣＰＵ１１１は、ジョブが片面印刷の場合、又は、ジョブに両面印刷が設定されている場合であって、ページ数が奇数ページである場合に、最終ページに対応する画像データがシートの裏面に印刷されないと判断しステップＳ１４０９に進む。
【００８０】
ステップＳ１４０９では、ＣＰＵ１１１は、最後のシートの裏面に印刷すべき画像がない場合にマークを印刷する設定がなされているか判断する。最後のシートの裏面に印刷すべき画像がない場合にマークを印刷する設定がなされている場合は、ステップＳ１４１０に進む。一方、マークを印刷する設定がなされていない場合は、ステップＳ１４１４に進み印刷処理を実行する。
【００８１】
ステップＳ１４１０では、ＣＰＵ１１１は、１ページ分の白紙の画像データを生成する。画像データの画素情報は例えば白レベル（Ｒ＝２５５、Ｇ＝２５５、Ｂ＝２５５）で埋められる。
【００８２】
ステップＳ１４１１では、ＣＰＵ１１１は、ジョブに設定されている綴じ位置の設定情報に従って、マーク画像を付加する位置及びマークの向きを決定し、画像データにマーク画像を合成する。例えば、綴じ処理の設定として図８（ａ）に例示するように左上端に斜めの綴じ処理を行うことが設定されている場合、ＣＰＵ１１１は、８１１ｂの位置に９０度回転したマークを合成する。
【００８３】
ステップＳ１４１４では、ＣＰＵ１１１は記憶部に格納された画像データを印刷部１２０に転送する。印刷部１２０は、画像データに基づいて印刷を実行する。読み取った画像データの印刷が完了すると、ステップＳ１４１５に進む。ステップＳ１４１５では、印刷部１２０及びシート処理部１２２は、制御コマンドに基づいてソート処理、綴じ処理などの仕上げ処理を実行し、コピー処理を終了する。
【００８４】
なお、本実施形態では、コピーを実行する場合の綴じ処理について説明したが、本発明はコピーのみならず、外部装置から受信した印刷データに基づく印刷にも適用できる。
【００８５】
例えば、通信部Ｉ／Ｆ１２３が外部機器から印刷データを受信し、ＣＰＵ１１１はその印刷データをストレージ１１４に記憶させる。ＣＰＵ１１１は図１１の画面を介して設定され、ＲＡＭ１１３又はストレージ１１４に保持されているマーク印刷に関する設定値及び印刷データに付加された設定値に基づいて印刷部１２０及びシート処理部１２２を制御する。印刷データには、印刷される部数の情報、印刷データのページ数の情報、両面印刷に関する情報、綴じ処理に関する情報等が付加されているものとする。
【００８６】
ＣＰＵ１１１は、印刷データに付加された綴じ処理に関する情報に基づいて図１４に示すフローチャートの各判断を実行する。また、ステップＳ１４０４及びステップＳ１４１２では、ＣＰＵ１１１は印刷データを元に、画像データの生成処理を行う。
【００８７】
以上説明したとおり、第１の実施形態によって、針を使わないでシートを綴じる際に、マークを付加することができる。また、ユーザが予めマークを付加するか否かを設定できるため、マークを付加するか否かをユーザの要望に応じて切り替えることができる。
【００８８】
なお、第１の実施形態では、印刷する全ての画像データを記憶部に格納した後に印刷部１２０による印刷を開始する例を用いて説明したがこれに限らない。例えば、読み取り制御と印刷制御が並列に実行されるような場合にも本発明は適用できる。例えば、ステップＳ１４０４乃至ステップＳ１４１３の読み取り制御を行う第１の制御プログラムと、ステップＳ１４１４の印刷制御を行う第２の制御プログラムが協働してコピー処理を実行してもよい。第１の制御プログラムはステップＳ１４０４及びステップＳ１４１２における画像データの生成と、画像データへマーク画像を合成することまでを実行する。第２の制御プログラムは記憶部を監視しており、画像データが格納されたことを検知すると、当該画像データの印刷を実行する。この場合、画像データの印刷と、次ページ以降の画像データの読み取りを並列して行えるため、コピーにかかる時間を短くすることができる。
【００８９】
なお、本実施形態で付加するマークはシートを捲るべき方向を誘導する図柄であってもよい。従って、本実施形態では、図１５に示すようなマークを付加するようにしてもよい。図１５はシートに付加するマークの変形例を説明するための図である。図１５（ａ）は針無し綴じ部２１４を用いた綴じ処理の一例を示した図である。シート３０３の左上端の位置に、シート３０３の長辺と平行に綴じ処理が行われている場合を例示して説明する。矢印１５０３及び矢印１５０４は、シートを捲る際における外力の方向の一例を示したものであり、シート束をどの向きに捲るべきかを示している。矢印１５０３の方向は、綴じ強度が強い方向を示している。
【００９０】
シート端と平行に綴じ処理をする場合、閲覧者がシートを捲る際に綴じ位置に矢印１５０３の方向の力が加わっても、シートは剥がれにくい。一方、閲覧者がシートを捲る際に綴じ位置に矢印１５０４の方向の力が加わると、シートは剥がれやすい。この場合には、上下開きで捲るのではなく、左右開きで捲るように閲覧者を誘導すべきである。
【００９１】
この点を鑑み、前述したステップＳ１４０５又はステップＳ１４１１のステップにおいて、ＣＰＵ１１１は、書類を捲るべき方向を示したマークを画像データに合成するようにしてもよい。例えば、左右開きに誘導したい場合、図１５（ｂ）に示す、左右に捲る方向を誘導するマーク１５０５を綴じ位置付近に印刷する。なお、図１５で示したマーク１５０５は開き方向を示すための一例であり、シートを捲るべき方向を閲覧者に示すことができるマークであれば、どのようなマークであってもよい。また、マーク７０１とマーク１５０５の両方をシートに付加するようにしてもよい。
【００９２】
また、本実施形態では、１枚目のシートの表面ページ及び最後のシートの裏面にマークを印刷する場合を例示したがこれに限定するものではない。本実施形態で付加するマークは、例えば１枚目のシートの表面ページ及び最後のシートの裏面に限らず、全てのシートにマークを付加するようにしてもよい。この場合、例えば、ステップＳ１４０５の１ページ目の画像データであるかの判断を省略し、全ての画像データに対してマーク画像を合成する。具体的にはシートの表面に対応する画像データであれば、綴じ位置６０１付近にマーク画像を合成する。また、シートの裏面に対応する画像データであれば、綴じ位置８０４付近にマーク画像を合成するようにすればよい。
【００９３】
また、本実施形態では、画像処理装置がＣＰＵ１１１、読取部１１８、印刷部１２０、シート処理部１２２などを有している。しかしながら、本発明に係る実施形態は、印刷部１２０とシート処理部１２２を制御する印刷制御装置がＣＰＵ１１１、ＲＯＭ１１２、ＲＡＭ１１３、ストレージ１１４、操作部１１６、通信部Ｉ／Ｆ１２３を有するような実施形態であってもよい。
【００９４】
＜第２の実施形態＞
第１の実施形態では、画像処理装置または印刷制御装置に基づく実施形態を説明した。しかしながら、本発明は、画像処理装置に印刷データを送信する情報処理装置にも適用可能である。
【００９５】
図１６は、第２の実施形態に係る情報処理装置のハードウェア構成を示すブロック図である。情報処理装置は印刷データを画像処理装置に送信して、印刷データに基づく印刷を画像処理装置に実行させる機能を有する。
【００９６】
ＣＰＵ１６１１を含む制御部１６１０は、情報処理装置全体の動作を制御する。ＣＰＵ１６１１は、ＲＯＭ１６１２またはストレージ１６１４に記憶されたシステムプログラムやアプリケーションプログラムを読み出して処理を行う。ＲＯＭ１６１２は、ＣＰＵ１６１１で実行可能な制御プログラムを格納する。ＲＡＭ１６１３は、ＣＰＵ１１１の主記憶メモリであり、ワークエリアやストレージ１１４に記憶された各種プログラム及び各種プログラムが使用するデータや制御変数などを展開するための一時記憶領域として用いられる。ストレージ１１４は、ユーザが登録した設定地、情報処理装置の管理データ、文書アプリケーションや計算アプリケーションなどのアプリケーションプログラム、画像処理装置に画像処理装置に印刷データを送信するためのドライバプログラムなどを格納する。本実施形態ではストレージ１６１４としてＨＤＤ等の補助記憶装置を想定しているが、ＨＤＤの代わりにＳＳＤに代表されるＦＬＡＳＨ  ＤＩＳＫなどの不揮発性の記憶装置が用いられることもある。
【００９７】
なお、本実施形態の情報処理装置では、１つのＣＰＵ１６１１が１つのメモリ（ＲＡＭ１６１３）を用いて後述するフローチャートに示す各処理を実行するものとするが、他の様態であっても構わない。例えば複数のＣＰＵ、ＲＡＭ、ＲＯＭ、及びストレージを協働させて後述するフローチャートに示す各処理を実行することもできる。
【００９８】
操作部Ｉ／Ｆ１６１５は、入出力装置と制御部１６１０を接続する。キーボード１６１６は、ユーザからの指示を入力したり、文字や数字などを入力したりするために使われる。キーボード１６１６に加えてマウスが用意されてもよい。
【００９９】
ディスプレイ１６１７は、ユーザに対して情報を表示するための出力装置である。ユーザは、キーボード１６１６やマウスなどの入力デバイスを用いて、ディスプレイ１６１７に表示されているキーを押下するなどの指示を入力する。
【０１００】
また、制御部１１０は、通信部Ｉ／Ｆ１６２２を介してＬＡＮ１００に接続される。通信部Ｉ／Ｆ１６２２は、ＬＡＮ１００又は無線ＬＡＮ（不図示）などのネットワークを介して、外部装置にデータを送信したり、ＬＡＮ１００上の外部装置からデータを受信したりする。更に、通信部Ｉ／Ｆ１６２２は、ＵＳＢなどのローカルインタフェースを介して外部装置と通信したりする。
【０１０１】
制御部１６１０は、通信部Ｉ／Ｆ１６２２を介して、印刷データを画像処理装置に送信したり、画像データを画像処理装置から受信したりする。なお、本実施形態では、情報処理装置の一例としてキーボードとディスプレイを備えた情報処理装置を例示しているが、例えばスマートフォンやタブレット端末などの携帯情報端末などであってもよい。なお、印刷データを画像処理装置に送信する制御方法を提供する方法は適宜変形できる。印刷用のアプリケーションとして提供されてもよいし、印刷データをクラウドサーバ経由で画像処理装置へ送信するような制御方法にも適用できる。更にはＢｌｕｅｔｏｏｔｈ（登録商標）や近距離無線通信（ＮＦＣ）などの通信方式を使用して印刷データを画像処理装置に送信する制御方法にも適用できる。
【０１０２】
図１７及び図２０は、印刷データを画像処理装置に送信する制御方法を示すフローチャートである。図１７及び図２０のフローチャートに示す各動作（ステップ）は、ＣＰＵ１６１１がこのフローチャートに基づくドライバプログラムを実行することにより、この制御方法が実現される。ユーザがデータの印刷を指示すると、ＣＰＵ１６１１はドライバプログラムを実行する。まず、ステップＳ１７０１では、ＣＰＵ１６１１は、印刷の設定をするための操作画面をディスプレイ１６１７に表示する。
【０１０３】
図１８（ａ）は、ステップＳ１７０１で表示される設定画面の一例を示す図である。図１８（ａ）の画面を介してユーザは原稿サイズの設定、印刷される用紙（シート）サイズの設定、部数の設定、印刷の向きの設定、ページレイアウト（ページ集約）の設定などをすることができる。タブキー１８０１は、ページ設定を行う項目を表示する場合に使用するキーである。タブキー１８０２は仕上げ処理を関する項目を表示する場合に使用するキーである。一方、キー１８０３は、ユーザが印刷データを画像処理装置に送信する場合に使用するキーである。キー１８０４は印刷データの送信をキャンセルする場合に使用するキーである。
【０１０４】
図１８（ａ）の画面において、タブキー１８０２が押下されると、ＣＰＵ１６１１は、図１８（ｂ）に示す仕上げタブの画面に遷移する。図１８（ｂ）は、操作画面の一例を示す図である。図１８（ｂ）の画面では、ユーザは片面印刷または両面印刷の選択、綴じ処理の種類の選択、綴じ位置の指定、及びマークの印刷設定を行うことができる。なお、マークの印刷設定は、ユーザが綴じ処理として針無し綴じ処理を選択した場合にのみ行うことができる。
【０１０５】
ユーザは図１８（ｂ）の画面でページ設定画面に戻る場合には、タブキー１８０１を押下する。領域１８０５は、綴じ処理の種類を選択する領域である。領域１８０５が押下されると、「針無し綴じ処理」、「針有り綴じ処理」がドロップダウン形式のリストで選択肢として表示される。なお、本実施形態では、綴じ処理として針有り綴じ処理と針無し綴じ処理の２種類から綴じ処理を選択するようにしているがこれに限らない。印刷データを送信する画像処理装置が備える綴じ部に応じた綴じ処理を選択できるようにすればよい。
【０１０６】
ユーザがドロップダウン形式のリストから項目１８０６を選択すると、ＣＰＵ１６１１は、マークの印刷に関する設定を行うためのチェックボックスを表示するように画面を制御する。
【０１０７】
図１９（ａ）は、綴じ処理として針無し綴じ処理が選択された場合に表示する操作画面の一例を示す図である。図１９（ａ）のチェックボックス１９０２及び１９０３は針無し綴じ処理に関する設定項目の一例である。
【０１０８】
図１９（ａ）の画面を介して、ユーザはマークの印刷設定を行うことができる。ボックス１９０２は、マークを印刷するか否かの設定を変更する際に使用するチェックボックスである。ボックス１９０３は、最後のシートの裏面に印刷すべき画像がない場合でも、最後のシートの裏面にマークを印刷するか否かの設定を変更する際に使用するチェックボックスである。ユーザはボックス１９０２又はボックス１９０３を押下してチェックボックスの状態を反転させることができる。ボックスがチェックされた状態では、設定が有効となり、ボックスがチェックされていない状態では、設定が無効となる。なお、チェックボックス１９０３はマークの印刷設定が有効に設定されている場合にのみ選択可能に表示され、マークの印刷設定が有効に設定されていない場合は、グレーアウトで表示される。
【０１０９】
キー１８０７は綴じ位置を設定する場合に使用するキーである。ユーザがキー１８０７を押下すると、ＣＰＵ１６１１は、図１９（ｂ）の画面を図１９（ａ）の画面の子画面として新たに表示する。ＣＰＵ１６１１は、ユーザが図１９（ｂ）の画面に対して応答を行わない限り、図１９（ａ）の画面への操作を受け付けないように制御する。
【０１１０】
図１９（ｂ）は、キー１８０７が押下された際に表示する操作画面の一例である。図１９（ｂ）では、ユーザはラジオボタン１９１２から綴じ処理を行う位置を選択することができる。ラジオボタン１９１２は複数のボタン（選択肢）から１つの設定を選択するためのラジオボタンである。また、情報１９１１は綴じ処理を行う位置をユーザに通知するための情報である。キー１９１３は、図１９（ｂ）の画面を介して設定された綴じ処理に関する設定を適用し、設定画面を閉じる場合に使用するキーである。キー１９１４は、図１９（ｂ）の画面を介して設定された綴じ処理に関する設定を破棄して設定画面を閉じる場合に使用するキーである。キー１９１３又はキー１９１４が押下されるとＣＰＵ１１１は、子画面である図１９（ｂ）の画面を閉じ、親画面である図１９（ｂ）の画面への操作の受付を再開する。ユーザは図１８及び図１９の画面を介して更なる印刷の設定を行うことができる。
【０１１１】
図１７の説明に戻り、ステップＳ１７０２では、図１８及び図１９の各画面を介して、綴じ位置や綴じ処理の設定を含む印刷データに関する設定を受け付ける。ステップＳ１７０３では、ＣＰＵ１６１１は、図１８（ａ）、図１８（ｂ）、図１９（ａ）の画面を介してキー１８０３が押下されたかどうかを判断する。ＣＰＵ１６１１は「ＯＫ」キー１８０３が押下されたと判断した場合は、ステップＳ１７０４に進み、「ＯＫ」キー１８０３が押下されていないと判断した場合は、ステップＳ１７０５に進む。ステップＳ１７０４では、ＣＰＵ１６１１は、ストレージ１６１４に保持されている設定値に従って印刷データを生成する。ステップＳ１７０４の処理については図２０のフローチャートを用いて説明する。
【０１１２】
一方、ステップＳ１７０５では、ＣＰＵ１６１１は、図１８（ａ）、図１８（ｂ）、図１９（ａ）の画面を介してキー１８０４が押下されたかどうかを判断する。ＣＰＵ１６１１が「キャンセル」キー１８０４が押下されたと判断した場合は、ステップＳ１７０６に進み、「キャンセル」キー１８０４が押下されていないと判断した場合は、ステップＳ１７０２に戻り、ユーザから印刷設定を受け付ける。ステップＳ１７０６では、ＣＰＵ１６１１は印刷データの送信を中止するとともに、印刷の設定画面を閉じる。
【０１１３】
次に印刷データの送信について説明する。本実施形態では、マークを合成した画像データを含む印刷データを生成して送信する制御を行う。
【０１１４】
ステップＳ２００１では、ＣＰＵ１６１１はストレージ１６１４に保持されている設定値にマークを印刷する設定がなされているか判断する。マークを印刷する設定がなされている場合は、ステップＳ２００２に進み、マークを印刷する設定がなされていない場合は、ステップＳ２０１１に進む。
【０１１５】
ステップＳ２０１１では、ＣＰＵ１６１１は、ユーザが印刷を指示したデータから１ページ分の印刷データを生成し、ストレージ１６１４又はＲＡＭ１６１３上に印刷データを一時的に格納する。ステップＳ２０１２では、ＣＰＵ１６１１は、次ページがあるかを判断する。次ページがあると判断した場合は、ステップＳ２０１１に戻り次ページの読み取りを行う。一方、次ページがないと判断した場合は、ステップＳ２０１０に進む。
【０１１６】
一方、ステップＳ２００１でマークを印刷すると判定された場合は、ステップＳ２００２に進む。ステップＳ２００１では、ＣＰＵ１６１１は、ユーザが印刷を指示したデータから１ページ分の印刷データを生成し、ストレージ１６１４又はＲＡＭ１６１３上に印刷データを一時的に格納する。
【０１１７】
ステップＳ２００３では、ＣＰＵ１６１１は、ステップＳ２００２で生成した出力データが１ページ目に対応する出力データであるか否か判断する。１ページ目の画像データの場合は、ステップＳ２００４に進み、１ページ目の画像データでない場合は、ステップＳ２００５に進む。
【０１１８】
ステップＳ２００４では、ＣＰＵ１６１１は、ストレージ１６１４に保持されている綴じ位置の設定値に従って、マーク画像を付加する位置及びマークの向きを決定し、１ページ目に対応する出力データにマーク画像を合成する。
【０１１９】
一方、ステップＳ２００５では、ＣＰＵ１６１１は、次ページがあるか否か判断し、あると判断した場合はステップＳ２００３に戻り次ページの画像データを生成する。一方次ページがないと判断した場合は、ステップＳ２００６に進む。ステップＳ２００６では、ＣＰＵ１６１１は、最終ページに対応する出力データがシートの裏面に印刷されるか判断する。具体的には、ＣＰＵ１６１１は、図１８及び図１９を介した印刷設定により両面印刷が設定されている場合であって、ページ数が偶数ページである場合に、最終ページに対応する出力データが、シートの裏面に印刷されると判断し、ステップＳ２００９に進む。一方、ＣＰＵ１６１１は、片面印刷が設定されている場合又は両面印刷が設定されている場合であってページ数が奇数ページである場合に、最終ページに対応する出力データがシートの裏面に印刷されないと判断しステップＳ２００７に進む。
【０１２０】
ステップＳ２００７では、ＣＰＵ１６１１は、最後のシートの裏面に印刷すべき画像がない場合にマークを印刷する設定がなされているか判断する。最後のシートの裏面に印刷すべき画像がない場合にマークを印刷する設定がなされている場合は、ステップＳ２００８に進む。一方、最後のシートの裏面に印刷すべき画像がない場合にマークを印刷する設定がなされていない場合は、ステップＳ２０１０に進み印刷処理を実行する。
【０１２１】
ステップＳ２００８では、ＣＰＵ１６１１は、最後のシートの裏面に印刷する白紙の出力データを生成する。ステップＳ２００９では、ＣＰＵ１６１１は、ストレージ１６１４に保持されている綴じ位置の設定値に従って、マーク画像を付加する位置及びマークの向きを決定し、最終ページに対応する出力データにマーク画像を合成する。例えば、綴じ処理の設定として図７（ａ）に例示するように左上端に斜めの綴じ処理を行うことが設定されている場合、ＣＰＵ１６１１は、図８（ｂ）に示す８０６ｂの位置に９０度回転したマークを合成する。
【０１２２】
ステップＳ２０１０では、ＣＰＵ１６１１はストレージ１６１４に保持されている設定値及び出力データに基づいて印刷データを生成する。更にＣＰＵ１６１１は、印刷データを画像処理装置に送信するように通信部Ｉ／Ｆ１６２２を制御し、印刷データを送信し送信処理を終了する。ステップＳ２０１０でＣＰＵ１６１１が生成する印刷データには例えば出力データ、印刷される部数の情報、印刷データのページ数の情報、両面印刷に関する情報、綴じ処理に関する情報等が付加されている。
【０１２３】
画像処理装置は、第１の実施形態で説明したように受信した印刷データに基づいて印刷処理を実行する。画像処理装置のＣＰＵ１１１は、印刷データで指定された給紙部からシートを搬送し、搬送されたシートに印刷データに基づく画像を印刷し、さらに印刷データに指定された綴じ処理を実行する。
【０１２４】
本実施形態では、情報処理装置から画像処理装置に印刷データを送信し、画像処理装置が印刷データに基づいて綴じ処理を実行する場合でも、針を使わないでシートを綴じる際に綴じ位置が識別できるマークを付加することができる。
【０１２５】
なお、本実施形態では、ドライバプログラムが印刷データの出力データを生成する際に、出力データに対して予めマークを合成する場合を例示したがこれに限定するものではない。例えば、ドライバプログラムが印刷データにマークに関する設定情報を付加し、画像処理装置側でマークを付加するようにしてもよい。
【０１２６】
また、本実施形態では、１枚目のシートの表面ページ及び最後のシートの裏面にマークを印刷する場合を例示したが、これに限定するものではない。例えば、綴じ処理が設定された全てのページの出力データにマーク画像を合成するようにしてもよい。
【０１２７】
＜他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【０１２８】
以上、本発明の好ましい実施形態について詳述したが、本発明は係る特定の実施形態に限定されるものではなく、特許請求の範囲に記載された本発明の要旨の範囲内において、種々の変形及び変更が可能である。
【符号の説明】
【０１２９】
１１０  制御部
１１１  ＣＰＵ
１１６  操作部
１２０  印刷部
１２２  シート処理部
１２３  通信部
１６１０  制御部
１６１１  ＣＰＵ
１６１６  操作部
【図１】
2016054359.tif 000003
【図２】
2016054359.tif 000004
【図３】
2016054359.tif 000005
【図４】
2016054359.tif 000006
【図５】
2016054359.tif 000007
【図６】
2016054359.tif 000008
【図７】
2016054359.tif 000009
【図８】
2016054359.tif 000010
【図９】
2016054359.tif 000011
【図１０】
2016054359.tif 000012
【図１１】
2016054359.tif 000013
【図１２】
2016054359.tif 000014
【図１３】
2016054359.tif 000015
【図１４】
2016054359.tif 000016
【図１５】
2016054359.tif 000017
【図１６】
2016054359.tif 000018
【図１７】
2016054359.tif 000019
【図１８】
2016054359.tif 000020
【図１９】
2016054359.tif 000021
【図２０】
2016054359.tif 000022